(57)【要約】【課題】エネルギー使用状況の問題点を迅速に発見することができる。【解決手段】  主たるエネルギーグラフを表示している画面に併せて、同様な表示期間その他の表示条件で、複数のサムネイルグラフを表示するエネルギーデータ解析支援装置であって、主たるエネルギーグラフの表示条件を変更すると、サムネイルグラフも同じ表示条件で連携描画されて、また、注目したいサムネイルグラフを選択して主たるエネルギーグラフと表示を交替することができることで、主たるエネルギーグラフに加えてサムネイルグラフでもエネルギーの使用傾向を把握することができる特徴を持つ。【選択図】  図２
2015230638.tif 000002
【特許請求の範囲】
【請求項１】
少なくとも一つの主たるエネルギーグラフと複数のサムネイルグラフとを表示するエネルギー解析支援装置において、
表示期間その他の表示条件を管理して前記主たるエネルギーグラフを表示するメインプロセスおよび前記サムネイルグラフを表示するサブプロセスに対して、その起動と実行を指令する画面マネージャと、
前記主たるエネルギーグラフの表示条件を変更する操作入力があった場合、その変更イベントを前記画面マネージャに通知する前記メインプロセスと、
前記主たるエネルギーグラフの表示条件が変更された場合、前記画面マネージャからの指令に基づいて、前記サムネイルグラフを表示するための描画処理をして前記画面マネージャにイベント帰還するサブプロセスと、
を備えるエネルギー解析支援装置。
【請求項２】
請求項１のエネルギー解析支援装置において、さらに、前記画面マネージャは、
任意のサムネイルグラフが選択されたときに、そのサムネイルグラフにかかるサブプロセスと前記主たるエネルギーグラフにかかるメインプロセスとの動作を交替させるように双方へイベントを通知して指令することを特徴とするエネルギー解析支援装置。
【請求項３】
少なくとも一つの主たるエネルギーグラフと複数のサムネイルグラフとを表示するエネルギー解析支援方法において、
表示期間その他の表示条件を管理して前記主たるエネルギーグラフを表示するメインプロセスおよび前記サムネイルグラフを表示するサブプロセスに対して、画面マネージャがその起動と実行を指令するステップと、
前記主たるエネルギーグラフの表示条件を変更する操作入力があった場合、前記メインプロセスがその変更イベントを前記画面マネージャに通知するステップと、
前記主たるエネルギーグラフの表示条件が変更された場合、前記画面マネージャからの指令に基づいて、前記サブプロセスが前記サムネイルグラフを表示するための描画処理をして前記画面マネージャにイベント帰還するステップと、
を備えるエネルギー解析支援方法。
【請求項４】
請求項３のエネルギー解析支援方法において、さらに、前記画面マネージャは、
任意のサムネイルグラフが選択されたときに、そのサムネイルグラフにかかるサブプロセスと前記主たるエネルギーグラフにかかるメインプロセスとの動作を交替させるように双方にイベントを通知して指令するステップを特徴とするエネルギー解析支援方法。
【発明の詳細な説明】
【技術分野】
【０００１】
この発明は、ビルなどの施設において収集され蓄積されたデータの解析を支援するエネルギー解析支援装置およびエネルギー解析支援方法に関するものである。
【背景技術】
【０００２】
高層ビル，集合住宅，病院，工場などの施設においては、各種の設備が設けられている。例えば、その設備として空調設備，電気設備，防犯設備，防災設備，熱源設備などの設備が挙げられ、これらの設備は各種機器を多数備えている。
【０００３】
近年、インテリジェントビル等には、オペレータによるデータの解析を支援するデータ解析支援装置が設けられている。データ解析支援装置は、各種機器の稼働状態（ポンプのＯＮ／ＯＦＦ状況、空調機のＯＮ／ＯＦＦ状況など）、その機器による環境の状態（温湿
度，冷水送水温度，風量，送水圧など）など各種の管理ポイントからのデータを定期的に収集するデータ収集手段と、このデータ収集手段により収集されたデータを蓄積するデータ蓄積手段とを備えている。
【０００４】
このようなデータ解析支援装置において、データ蓄積手段に蓄積されているデータは、オペレータからの要求に応じ、トレンドグラフやヒストグラムなどのグラフとして画面上に表示される。これらのグラフはエネルギー使用量の分析，温熱環境評価，空調制御解析などに用いられる。すなわち、運転状況の確認、制御性の確認、異常原因の解析、エネルギー消費量の管理など様々な用途で用いられる。
【０００５】
特許文献1にある発明では、オペレータの労力を軽減するために、用意するグラフの数およびグラフに付加する機能を少なくする。そこでは、収集され蓄積されたデータの解析を支援するデータ解析支援装置において、選択指定されたグラフをウィンドウを開いて表示するグラフ表示手段と、このグラフ表示手段によって現在開かれているウィンドウのグラフを１画面にマトリクス状に表示するマトリクスグラフ表示手段と、このマトリクスグラフ表示手段によってマトリクス状に表示されているグラフの位置をユーザー操作に応じて変更するグラフ位置変更手段とを備えたことを特徴とするデータ解析支援装置が開示されている。
【先行技術文献】
【特許文献】
【０００６】
【特許文献１】特開２００２−２５８９３９号公報
【発明の概要】
【発明が解決しようとする課題】
【０００７】
しかし、特許文献1の発明では、当該マトリクスグラフの個々のグラフを表示する際に必要な表示期間などの設定事項は、個々のグラフで設定されている必要があり、表示期間などの条件を一括で変更することはできなかった。また、マトリクスグラフのうち、注目したいグラフを拡大表示することもできなかった。
【０００８】
すなわち、エネルギー使用状況の確認作業において、主たるエネルギーグラフに加えて、関連グラフを複数表示して、その表示条件を個別に変更することは煩に堪えない。主たるグラフの操作に関連グラフも同時に対応して、エネルギー解析作業に役立つエネルギー解析支援装置が求められる。
【０００９】
また、限られた画面スペースにおいて注目すべきエネルギーグラフを拡大表示することで、エネルギー使用状況の問題点を迅速に発見することができることも、本願発明が解決すべき課題とする。
【課題を解決するための手段】
【００１０】
本願発明は、少なくとも一つの主たるエネルギーグラフと複数のサムネイルグラフとを表示するエネルギー解析支援装置において、
表示期間その他の表示条件を管理して前記主たるエネルギーグラフを表示するメインプロセスおよび前記サムネイルグラフを表示するサブプロセスに対して、その起動と実行を指令する画面マネージャと、
前記主たるエネルギーグラフの表示条件を変更する操作入力があった場合、その変更イベントを前記画面マネージャに通知する前記メインプロセスと、
前記主たるエネルギーグラフの表示条件が変更された場合、前記画面マネージャからの指令に基づいて、前記サムネイルグラフを表示するための描画処理をして前記画面マネージャにイベント帰還するサブプロセスと、
を備えるエネルギー解析支援装置である。
【００１１】
さらに、前記画面マネージャは、
任意のサムネイルグラフが選択されたときに、そのサムネイルグラフにかかるサブプロセスと前記主たるエネルギーグラフにかかるメインプロセスとの動作を交替させるように双方にイベントを通知して指令することを特徴とするエネルギー解析支援装置でもある。
【００１２】
また、本願発明は、少なくとも一つの主たるエネルギーグラフと複数のサムネイルグラフとを表示するエネルギー解析支援方法において、
表示期間その他の表示条件を管理して前記主たるエネルギーグラフを表示するメインプロセスおよび前記サムネイルグラフを表示するサブプロセスに対して、画面マネージャがその起動と実行を指令するステップと、
前記主たるエネルギーグラフの表示条件を変更する操作入力があった場合、前記メインプロセスがその変更イベントを前記画面マネージャに通知するステップと、
前記主たるエネルギーグラフの表示条件が変更された場合、前記画面マネージャからの指令に基づいて、前記サブプロセスが前記サムネイルグラフを表示するための描画処理をして前記画面マネージャにイベント帰還するステップと、
を備えるエネルギー解析支援方法である。
【００１３】
さらに、前記画面マネージャは、
任意のサムネイルグラフが選択されたときに、そのサムネイルグラフにかかるサブプロセスと前記主たるエネルギーグラフにかかるメインプロセスとの動作を交替させるように双方にイベントを通知して指令するステップを特徴とするエネルギー解析支援方法でもある。
【発明の効果】
【００１４】
本願発明により、主たるエネルギーグラフに加えて、複数のサムネイルグラフが即座に連携表示されて、また注目すべきサムネイルグラフを適宜主たるエネルギーグラフに切り替えて拡大表示もできるので、エネルギー使用状況の問題点を迅速に発見することができる効果がある。
【図面の簡単な説明】
【００１５】
【図１】本願発明にかかるエネルギー解析支援装置の一実施の形態を含むビル管理システムの構成図。
【図２】本願発明のエネルギー解析支援装置のディスプレイ上に表示される主たるエネルギーグラフと複数のサムネイルグラフを示すイメージ図。
【図３】本願発明の一実施の形態にかかる共通記憶領域を示す図。
【図４】本願発明の実施例（１）主たるエネルギーグラフでの表示条件の変更にかかるプロセス間の遷移フロー図。
【図５】本願発明の実施例（２）任意のサムネイルグラフと主たるエネルギーグラフの表示切替にかかるプロセス間の遷移フロー図。
【発明を実施するための形態】
【００１６】
以下、本発明を図面に基づいて詳細に説明する。図１はこの発明に係るエネルギー解析支援装置の一実施の形態を含むビル管理システムの構成図である。同図において、１は本発明に係るエネルギー解析支援装置であって、２は中央監視装置、３はコントローラ群を示し、その下位に空調設備，電力設備，防災設備，防犯設備，熱源設備などの設備（図外）が接続される。コントローラ３はビル内に分散して配置される。さらに、５はデータ蓄積手段であるところのヒストリーサーバである。定周期でデータを収集して履歴データとして蓄積し、エネルギー解析支援装置１での履歴データの利用に資する。
【００１７】
図1のエネルギー解析支援装置１の内部に構成される各機能を説明する。１０は画面マネージャである。これは、主たるエネルギーグラフを描画するメインプロセス２０とサムネイルグラフを描画するサブプロセス３０−１〜ｎ（ｎは2以上の整数を意味する）を管理するものである。画面マネージャ１０は共通記憶領域１１を従え、これは各プロセスから参照また更新することもできる。共有メモリまたはディスクファイル形式で実装されるが、装置シャットダウンによる停電時にも揮発しない形式が望まれる。なお、エネルギー解析支援装置１とその他の装置との間は、通信ネットワーク４で接続される。イーサネット（登録商標）などの高速ネットワークであって、有線無線を問わない。
【００１８】
次に、図２のイメージ図で示すものは、主たるエネルギーグラフを描画するメインプロセス２０とサムネイルグラフを描画するサブプロセス３０−１〜ｎの画面イメージである。
例として、主たるエネルギーグラフでは電力使用量(積上)推移を示し、サムネイルグラフでは当該時における電力使用比チャート（３０−１）、からゾーン設定値・空調温度トレンド（３０−ｎ）を示している。その他多くの管理図、ヒストグラムなどがサムネイルに表示可能である。
【００１９】
ここで、図２に示す主たるエネルギーグラフ２０の画面上に備えられたボタン（２１、２２）のクリック操作によって、その電力使用量推移グラフが時刻を進められたり（２１）、戻されたり（２２）することができる。本グラフにかかるメインプロセス２０がヒストリーサーバ５から履歴データを取得して表示を更新することができるので、解析必要な時点へのタイムシフトが図れる。そのとき、一方のサムネイルグラフにかかるサブプロセス３０−１〜ｎもそれぞれヒストリーサーバ５から履歴データを取得して表示を更新できる。
【００２０】
さて、図３では本願発明の一実施の形態である共通記憶領域１１を示す。共通記憶自体は管理者その他操作者のユーザーID ごとに記憶される。それにより、エネルギー解析支援装置１のスタートまたはログイン時に最新の表示条件でエネルギー解析支援装置が立ち上がるようになる。記憶の内訳は、ユーザーID 、設備名称、(主要)ポイント名、メイン（主たるエネルギーグラフ）・サムネイル画面のプログラムによるプロセス名の列記、および、表示期間としてFROM／TOのカレンダ時間値が指定される。そのほか表示刻みなどもあるだろう（これ以上は省略する）。
なお、エネルギー解析支援装置１では、初期時に各種パラメータの設定はダイアログ、ツールバーなどの構築作業で行われて運転を開始する。それらを管理するのは画面マネージャ１０の役割でもある。
【００２１】
また、共通記憶領域の一部に、実Ｖ―ＲＡＭ（ビデオラム）１２と仮想Ｖ−ＲＡＭ１３が備えられている。主たるエネルギーグラフは直接メインプロセス２０が描画するものであり、これには直接に実Ｖ―ＲＡＭ１２が用いられることでよい。一方、サムネイルグラフのサブプロセス３０は実Ｖ―ＲＡＭではなく、画面表面に現れない仮想Ｖ−ＲＡＭ１３に一旦描画する。そして、その結果、画面マネージャ１０が仮想Ｖ−ＲＡＭ１３の内容を見てサムネイルになるよう縮尺して描画する。サムネイルは単純に縮小された画面イメージにするだけでは解像度が変に粗くなって中身が不明になることが多い。そのため、特徴部を抽出して整形するなどの処理が画面マネージャ１０によって施されるのである。
【実施例】
【００２２】
それでは、今まで述べてきた実施の形態であるエネルギー解析支援装置１での特徴的処理の二例を挙げて説明していくことにする。
【００２３】
（１）  主たるエネルギーグラフからの表示条件のサムネイル連携
図４のプロセス間の遷移フローに基づいて説明する。まず、画面マネージャ１０がＳｔａｒｔすると、図中ステップＳ０で共通記憶領域１１にあるユーザーＩＤに従ったプロファイルを読み込む。共通記憶領域１１にあるメイン・サムネイル画面に列記されたプロセス名配列から、各プログラムを呼び出し、メインプロセス２０およびサブプロセス３０−ｎに割り当て起動をかける（ステップＳ１０）。
【００２４】
そうして主たるエネルギーグラフのメインプロセス２０はＳｔａｒｔすると、実Ｖ−ＲＡＭ１２に当該エネルギーグラフの表示処理を行う（Ｓ２１）。一方のサブプロセス３０−ｎはそれぞれ自己の画面表示に関する描画を仮想Ｖ−ＲＡＭに対して仮表示処理を行う（Ｓ３１）。
【００２５】
ステップＳ３１の結果を用いて（Ｓ３２のイベント通知による）、画面マネージャ１０はサムネイル処理を行う（Ｓ１１）。こうして、サムネイルの枚数分を作成して複数のサムネイルグラフが完成する。
【００２６】
ここで、主たるエネルギーグラフの上で、例えば表示期間の変更が行われたとする。マウス等のポインティング操作があったならメインプロセス２０でそれに対応する操作入力処理が実行される（Ｓ２２）。そして、変更された表示期間は共通記憶領域１１のFROM/TOにストアされて、メインプロセス２０から画面マネージャ１０にイベント通知される（Ｓ２３）。
【００２７】
すると、画面マネージャ１０は表示条件が変化したことをサブプロセスなどに通知する準備処理に入る（Ｓ１２）。具体的に、サブプロセス３０−１〜ｎへ向けて変化通知イベントを発信する（Ｓ１３）。なお、メインプロセス２０は自分で変えた表示期間の変更に対応するよう描画を変更する実表示更新処理を実行する（Ｓ２４）。
【００２８】
一方、サブプロセス３０側では、Ｓ１３からの変化通知イベントを受信して、表示期間の変更を知り、仮表示処理を再実行する（Ｓ３１）。そして画面マネージャ１０は仮表示の終了の帰還イベントを受けて（Ｓ３２）、サムネイルグラフの更新を行う（Ｓ１１）。
以上が、主たるエネルギーグラフからの表示条件のサムネイルグラフとの表示条件の連携ロジックの説明である。
【００２９】
（２）  サムネイルグラフと主たるエネルギーグラフでの表示交替
図５のプロセス間の遷移フローに基づいて説明する。
メインプロセス２０は実(更新)表示処理Ｓ２１またはＳ２４などを実行し主たるエネルギーグラフは表示されているとする。一方、サブプロセス３０側はそれぞれ仮表示処理を実行し（Ｓ３１）、サムネイルグラフが表示されていたとする。
【００３０】
ここで、任意のサムネイルグラフが選択されてこれを主たるエネルギーグラフと交替する旨の操作がされたとすると、このような操作入力は画面マネージャ１０で検知される（Ｓ１５）。サムネイルグラフ上のポインタ位置関係からあるサムネイルを選択する（Ｓ１６）。そして表示条件設定（Ｓ１７）で共通記憶領域１１の操作などを行う。
【００３１】
そして、画面マネージャ１０はメインプロセス２０へ向けて交替イベントＳ１８を、また選ばれたサムネイルにかかるサブプロセス３０―ｎへ向けて同じく交替イベントＳ１９を発信する。すると、それぞれメインプロセス２０はプロセスを移行して、ｎ番目のサムネイルグラフ相当のプロセス３０−ｎになり替わる。一方、サブプロセス３０−ｎは逆にメインプロセス２０になり替わる。以降はそれぞれの役目である仮表示処理（Ｓ３１）と実表示処理（Ｓ２１）の実行から再開する。
以上が、任意のサムネイルグラフと主たるエネルギーグラフとの交替ロジックの説明である。
【産業上の利用可能性】
【００３２】
以上、実施例に即して説明をしたが、ソフトウエア発明であるため、各種変形応用は可能な発明であるが、基本概念で同じくするものには本願発明の権利は及ぶと解するべきである。例えば、主たるエネルギーグラフは複数あってもよく、画面スペースの許す限り配置はできる。また、拡大された任意のサムネイルグラフと主たるエネルギーグラフが併存することも可能である。
【００３３】
また、エネルギー解析支援装置は必ずしもオールインワンのＰＣで構成される必要はなく、画面表示部とバックグランド実行部などがクライアントサーバ、あるいはクラウドコンピューティングなどにより分散配置されていてもよい。
【符号の説明】
【００３４】
１  エネルギー解析支援装置
２  中央監視装置
３  コントローラ
４  通信ネットワーク
５  ヒストリーサーバ
１０  画面マネージャ  
１１  共通記憶領域
１２  実Ｖ−ＲＡＭ
１３  仮Ｖ−ＲＡＭ
２０  メインプロセス
２１  時間進めボタン
２２  時間戻しボタン
３０−１〜ｎ  サブプロセス
【図１】
2015230638.tif 000003
【図２】
2015230638.tif 000004
【図３】
2015230638.tif 000005
【図４】
2015230638.tif 000006
【図５】
2015230638.tif 000007